(57)【要約】  【課題】  太陽電池モジュールを住宅などの傾斜屋根の屋根材の上に設置する場合に、構造が簡易で部品点数が少なく、低コストで作業性に優れ、施工現場でも調整可能で、種々の勾配の寄棟屋根の屋根面の隅棟に沿って見栄え良く配置できる太陽電池アレイを提供すること。  【解決手段】  台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記複数の架台間の間隔を調整し、前記複数の太陽電池モジュールのそれぞれの互いに対向する２端部を前記複数の架台上に設置した。  【選択図】  図１０
2005264441.tif 000002
【特許請求の範囲】
【請求項１】
台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記複数の架台間の間隔を調整し、前記複数の太陽電池モジュールのそれぞれの互いに対向する２端部を前記複数の架台上に設置したことを特徴とする太陽電池アレイ。
【請求項２】
台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記複数の太陽電池モジュールのそれぞれの互いに対向する２端部の少なくとも１端部に着脱自在のアタッチメントを装着して前記複数の架台間の間隔が調整できるようにしたことを特徴とする太陽電池アレイ。
【請求項３】
台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記太陽電池モジュールを載架する前記架台の載架面を階段状に複数設けて前記複数の架台間の間隔が調整できるようにしたことを特徴とする太陽電池アレイ。
【発明の詳細な説明】
【技術分野】
【０００１】
本発明は、段状に屋根材が葺かれた傾斜屋根の一傾斜方向に、平面四角形状をなす太陽電池モジュールの一主辺を向けた状態で、複数の太陽電池モジュールを平面的に配設して成る太陽電池アレイに関するものである。
【背景技術】
【０００２】
近年、地球環境問題への関心の高まりとともに、自然エネルギーを利用した新エネルギー技術が注目されている。そのひとつとして、太陽エネルギーを利用したシステムの関心が高く、特に、太陽光発電システムの住宅への普及が加速されてきている。
【０００３】
太陽光発電システムは、その主要な構成要素である太陽電池モジュールにより太陽光エネルギーを電力に変換して利用することにより家庭の電気負荷を低減させるものである。住宅においては、家屋の屋根上に太陽電池モジュールを配設して利用されることが多いため、屋根上への太陽電池モジュールの取付け構造も種々考案されている。この太陽光発電システムに使用される太陽電池モジュールは住宅屋根に代表される既設の設置面、また地上架台、陸屋根架台等に代表されるような新設された設置面に設置される。それらの設置面に設置するための太陽電池モジュールの形態としては、屋根材の上に固定金具などを用いて架台を取り付けた上に太陽電池モジュールを設置する架台設置型太陽電池モジュールと瓦等の屋根材や壁材と太陽電池素子を一体化した建材一体型太陽電池モジュール等が知られている。
【０００４】
太陽光発電システムでは、通常複数の太陽電池モジュールを組み合わせて配線され、太陽電池アレイとして使用される。このため、太陽電池モジュールは、モジュール間を隙間なく埋めて配置するため矩形が一般的であるが、寄棟屋根などの異形の住宅屋根に効率良く設置できるよう、略三角形、台形などの形状のものもある。
【０００５】
架台設置型太陽電池モジュールは太陽電池モジュールを固定するための架台を屋根材の上に設置し、その上に太陽電池モジュールを固定して設置する形態のものである。架台の屋根面への取付け方法は種々提案されているが、太陽電池モジュールの寸法と屋根材の寸法が無関係であるため、屋根面への取付け位置と太陽電池モジュールの固定位置とを調整する構造を備えている。
【０００６】
また、架台設置型太陽電池モジュールの設置面への配置方法としては、矩形モジュールを複数枚配置し、アレイを組む方法、および矩形モジュールと三角モジュールまたは台形モジュールを組み合わせて複数枚配置する方法がある。後者の三角モジュールまたは台形モジュールを用いる方法は、寄棟屋根への設置の際に好適に用いられる。すなわち、寄棟屋根の台形の屋根面に矩形モジュールを階段状に配置し、その両端に残った屋根面は三角モジュールまたは台形モジュールで埋められる。
【０００７】
図１は従来の太陽電池アレイの太陽電池モジュール配置を模式的に示した図である。また、（ａ）は３／１０勾配の寄棟屋根、（ｂ）は５／１０勾配の寄棟屋根、（ｃ）は７／１０勾配の寄棟屋根にそれぞれ配置した例である。
【０００８】
また、このように矩形モジュールと三角モジュールを組み合わせて配置する場合に矩形モジュールと三角モジュールの底辺長さおよび屋根寸法との関係を算出し、屋根形状に合った太陽電池モジュール寸法とする方法などが提案されている（例えば、特許文献１を参照）。
【０００９】
矩形モジュールと三角モジュールまたは台形モジュールを組み合わせて配置する設置方法は、寄棟屋根の隅棟に沿って太陽電池モジュールを配することができ、美観を向上させるが、三角モジュールや台形モジュールは矩形モジュールに比べ、部品点数が多く、構造が複雑となるため生産性が悪い。
【００１０】
このような課題を解決するため、寄棟屋根の傾斜方向に、平面四角形状をなす太陽電池モジュールの一主辺を向けた状態で、該太陽電池モジュールの複数を平面的に配置するように成し、前記傾斜屋根の水平面に対する傾斜角度をθとし、ｍを２以上の整数としたときに、前記傾斜屋根の傾斜方向と直交する方向における前記太陽電池モジュール取付け間隔（以下この間隔をピッチと呼ぶ）が、前記傾斜方向における取付けピッチの略（ｍ×ｃｏｓθ）倍である太陽電池モジュールで、前記ｍとして異なる複数の値を適用した複数種類の太陽電池モジュールにより太陽電池アレイを構成する方法が提案されている。
【特許文献１】特開２００１−７３５２２号公報
【発明の開示】
【発明が解決しようとする課題】
【００１１】
しかしながら、上記に述べた矩形モジュールと三角モジュールまたは台形モジュールを組み合わせて配置する設置方法の太陽電池アレイにしても、屋根の傾斜方向と直交する方向における太陽電池モジュール取付けピッチが、前記傾斜方向における取付けピッチの略（ｍ×ｃｏｓθ）倍であるように配置する設置方法の太陽電池アレイにしても、これらの方法では太陽電池モジュールの取付けピッチが固定されているため、太陽電池アレイの横端部が屋根の隅棟に沿うようになるのは、屋根の勾配が図１（ｂ）のような屋根と三角形の太陽電池モジュールの傾斜角度が近似の特定の勾配のみの場合であり、その勾配よりも緩い場合には、図１（ａ）のように軒先側が開き、急な場合には図１（ｃ）のように棟側が開く。このため、屋根上に配置される太陽電池アレイの美観が損なわれる。
【００１２】
そこで、本発明では従来の上述した諸問題に鑑みて案出されたものであって、特に太陽電池モジュールを住宅などの屋根の屋根材の上に設置する場合に、構造が簡易で部品点数が少なく、低コストで作業性に優れ、施工現場でも調整可能で、種々の勾配の屋根面の隅棟に沿って見栄え良く配置できる太陽電池アレイを提供することを目的とする。
【課題を解決するための手段】
【００１３】
上記目的を達成させるために、台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記複数の架台間の間隔を調整し、前記複数の太陽電池モジュールのそれぞれの互いに対向する２端部を前記複数の架台上に設置したことを特徴とする。
【００１４】
また、本発明の他の太陽電池アレイは、台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記複数の太陽電池モジュールのそれぞれの互いに対向する２端部の少なくとも１端部に着脱自在のアタッチメントを装着して前記複数の架台間の間隔が調整できるようにしたことを特徴とする。
【００１５】
さらに、本発明の他の太陽電池アレイは、台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記太陽電池モジュールを載架する前記架台の載架面を階段状に複数設けて前記複数の架台間の間隔が調整できるようにしたことを特徴とする。
【発明の効果】
【００１６】
本発明の太陽電池アレイによれば、台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記複数の架台間の間隔を調整し、前記複数の太陽電池モジュールのそれぞれの互いに対向する２端部を前記複数の架台上に設置したことで、矩形モジュールのみの組合せで寄棟屋根の隅棟に沿って屋根面に効率良く配置できるため、屋根面を太陽光発電に有効に利用できるとともに美観を確保しつつ、三角モジュールや台形モジュールを使用しないため、部品点数の増加、構造の複雑化による生産性の低下を防止できる。また、傾斜屋根の勾配に関わらず周辺部材の種類を分けることなく、同一の架台、同一の固定金具などを使用して、寄棟屋根の種々の形状に対応した太陽電池アレイを提供することができる。
【００１７】
また、本発明の他の太陽電池アレイによれば、台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記複数の太陽電池モジュールのそれぞれの互いに対向する２端部の少なくとも１端部に着脱自在のアタッチメントを装着して前記複数の架台間の間隔が調整できるようにしたことで、上記の効果に加え、種々の勾配への対応が現場にて容易に可能であるため勾配を見誤っていた場合でも、対応が可能となる。
【００１８】
さらに、本発明の他の太陽電池アレイによれば、台形状もしくは三角形状を成す傾斜屋根を備えた建物の前記屋根面に固定金具を介して等間隔に取り付けられた複数の架台に前記屋根の傾斜方向の寸法が略同一で、前記屋根の傾斜方向と直交する方向の寸法が異なる複数の太陽電池モジュールのそれぞれの互いに対向する２端部を載架して成る太陽電池アレイであって、この太陽電池アレイの横端部が前記屋根の隅棟に沿うようにすべく、前記太陽電池モジュールを載架する前記架台の載架面を階段状に複数設けて前記複数の架台間の間隔が調整できるようにしたことで、上記の効果に加え、全ての部材が共通でありながら、架台の取付けピッチを調整することのみによって勾配の違う寄棟屋根に対応が可能であり、事前の勾配を確認する必要がなく、設計の工数が低減できる。
【発明を実施するための最良の形態】
【００１９】
以下に、本発明に係る太陽電池アレイの一実施形態について、模式的に図示した図面に基づいて詳細に説明する。
【００２０】
図２は本発明に係る太陽電池アレイの太陽電池モジュール配置を模式的に示した図、（ａ）は３／１０勾配の寄棟屋根、（ｂ）は５／１０勾配の寄棟屋根、（ｃ）は７／１０勾配の寄棟屋根にそれぞれ配置した例、図３は本発明に係る太陽電池モジュールの一実施形態を説明する平面図、図１０は本発明に係る太陽電池モジュールを架台に載架したときの模式図を示す。
【００２１】
図３に示す２種類の太陽電池モジュールはそれぞれ短辺の長さｈは同じ長さであるが、長辺の長さｗは異なる。図中では太陽電池モジュール３は太陽電池モジュール４よりも長辺ｗの長さを短くしている。この太陽電池モジュール３および太陽電池モジュール４は図１０に示すように架台７間に太陽電池モジュール３または太陽電池モジュール４は長辺が支持されるようにして固定されるが、このとき、架台７の太陽電池モジュールの支持部間の長さは、太陽電池モジュールの短辺の長さｈよりも長めである必要がある。また、太陽電池モジュールの長辺方向も隣り合う太陽電池モジュールとの載置作業や太陽電池モジュール自体の寸法誤差を考慮しておく必要がある。そこで、図３のように太陽電池モジュールの寸法とは別に取付けピッチＨ、Ｗ１、Ｗ２を設け、太陽電池モジュールの取付けピッチ寸法とする。
【００２２】
以下に具体的な数値を用いて設置方法の一例を説明する。取付けピッチＨ、Ｗ１、Ｗ２を、５／１０の勾配（θ＝２６．６°）の屋根に設置することを想定して
Ｈ＝３６４ｍｍ
Ｗ１＝３×ＣＯＳ（２６．６°）×３６４＝９７５ｍｍ
Ｗ２＝４×ＣＯＳ（２６．６°）×３６４＝１３００ｍｍ
とする。
【００２３】
そして、図２（ｂ）に示すように、棟１を上底、軒２を下底とする等脚台形状の寄棟屋根の場合の配置例においては、架台間の間隔を調整して前述の２種類の太陽電池モジュール３、４を適宜、配置することにより、階段状に配置された太陽電池モジュールからなる太陽電池アレイの横端部は隅棟５に沿うように、すなわち、太陽電池アレイの横端部は隅棟と略平行になるように配置することができる。
【００２４】
なお、図２（ａ）は３寸勾配、図２（ｂ）は５寸勾配、図２（ｃ）は７寸勾配の屋根であるが、架台間の間隔を調整してそれぞれ太陽電池モジュール３および太陽電池モジュール４を組み合わせた太陽電池アレイの横端部が隅棟５に沿うように、すなわち、太陽電池アレイの横端部は隅棟と略平行になるように配置することができ、屋根面の形にあわせた美観のよい配置が可能である。
【００２５】
図１７は本発明に係る太陽電池アレイの他の実施例における太陽電池モジュール配置を模式的に示した図、図１８は本発明に係る太陽電池アレイの更なる他の実施例における太陽電池モジュール配置を模式的に示した図である。
【００２６】
上記同様、図１７に示す四辺形、図１８に示す三角形の傾斜屋根においても、架台間の間隔を調整してそれぞれ太陽電池モジュール３および太陽電池モジュール４を組み合わせた太陽電池アレイの横端部が隅棟５に沿うように、すなわち、太陽電池アレイの横端部は隅棟と略平行になるように配置することができ、屋根面の形にあわせた美観のよい配置が可能である。
【００２７】
一方、図４は架台の屋根面への固定方法の実施形態の一例を示す斜視図、図５は本発明に係る固定金具の取り付け位置と取り付け方向を説明する図である。
【００２８】
図４において、固定金具Ｋは基台６と基台６の上に設けられて架台７の動きを規制する係止部材８とから成り、基台６と係止部材８は、両部材を上下方向に貫通する回動軸９で該回動軸９を中心に図示のように回動可能に組み立てられている。ここで、回動軸９はリベットやボルト、ナットなどの円筒の軸を有する締結部材が好適である。また、後述の架台７を固定するための固定手段として基台６には、長手方向に凸条をなす押圧部６ａを有している。固定金具Ｋは、基台６に対して回動軸９のまわりに係止部材８を回動可能としたことにより、固定金具Ｋを後述の架台７から取り外すことなく、架台７の位置を保持したままで、屋根材の状況に応じて、固定金具Ｋの取付け位置を調整できる。また、部品点数が少なく簡易な構成であるので、安価に製作でき、取付け工数を低減することができるとともに、軽量であるので、屋根の上でも取扱やすく、安全な作業が可能である。
【００２９】
具体的には、基台６は長手方向の両端部に屋根との固定部６ｂを備え、回動軸９と係止部材８とは、基台６の長手方向において、その一方端の側に偏った位置に設けられている。したがって、係止部材８に対する基台６を１８０°回動させた前後の、前記屋根材との固定部６ｂの位置が変化する。これにより、固定金具Ｋは架台７に対して基台６の長手方向が図５（ａ）のように屋根の軒側に配されるか、図５（ｂ）のように屋根の棟側に配されるか、２つの固定位置を選択することができることから、図５（ａ）〜（ｅ）に示すように、架台７を固定するために、屋根材１０の段差などの不都合な固定位置を回避して別の固定位置を選択することができる。
【００３０】
図６は、固定金具Ｋに長尺の架台７を係止した状態を示した図である。
【００３１】
図６（ａ）は基台６と架台７との長手方向が平行になっている状態を示す。この状態では前記架台７が前記基台６の前記押圧部６ａに当たらないため、基台６が前記架台７の長手方向には可動状態になる。前記可動状態から前記回動軸９を中心に前記基台６を係止部材８（ならびに架台７）に対して９０°回転した状態を図６（ｂ）に示した。同図に示した状態では、前記架台７の係止部７ａが基台６の前記押圧部６ａによって上方に押圧されるため、該押圧部６ａと前記係止部材８との間に挟持され、基台６は、前記架台７の長手方向にも不可動状態となる。すなわち、基台６に対して架台７が固定された状態となる。
【００３２】
図７は本発明に係る固定金具に架台を挿入する工程を示した図、図８は本発明に係る屋根用固定装置と架台とを固定する工程を示した図である。
【００３３】
図７（ａ）に示すように固定金具Ｋの基台６と係止部材８の長手方向が平行になるようにセットし、図７（ｂ）に示すように架台７の係止部７ａが、固定金具Ｋの基台６と係止部材８の間隙を通るように挿入する。次に、図７（ｃ）に示すように固定金具Ｋを架台７の固定位置まで挿入した後、図７（ｄ）に示すように基台６を架台７と直角になる位置まで回転させる。このとき、図７（ｄ）の方向では屋根材の段差との干渉で屋根面への取付けができない場合には、図８（ａ）、図８（ｂ）に示したように基台６を架台７に対し１８０度回転して、図５（ａ）〜（ｅ）のように屋根面への取付け位置を変更すればよい。
【００３４】
このような取付け構造により複数の架台７を傾斜屋根面に水平に任意の間隔で等間隔に設置できる。したがって、上述の傾斜屋根の傾斜方向の取付けピッチＨを変更することが可能となる。
【００３５】
図９は本発明に係るアタッチメントの取付け構造の詳細を説明する断面図である。（ａ）は太陽電池モジュールの架台に載せる互いに対向する２つの端部にアタッチメントを取り付けて太陽電池モジュールを架台に載架したときの模式図を示す。（ｂ）は太陽電池モジュールの架台に載せる互いに対向する２つの端部の片方にアタッチメントを取り付けて太陽電池モジュールを架台に載架したときの模式図を示す。
【００３６】
次に、図９を用いて請求項２に記載の発明の一実施形態について説明する。図１０に示すように、通常、太陽電池モジュール３は架台７間に載架して架台７とカバー１２にて挟持する構造であるが、屋根の形状に太陽電池モジュールを合わせることを優先した場合、架台Ｋの設置間隔（太陽電池モジュールの取付けピッチ）が適切にならないことになる。そこで、図９（ｂ）のように、太陽電池モジュール３の架台７に載架する載架端部１１には例えば、雌雄構造でアタッチメント１３が着脱可能な構造として、太陽電池モジュールの寸法を変えずに取付けピッチを架台７の間隔（太陽電池モジュールの取付けピッチ）に合わせることができるようにできる。このアタッチメント１３は架台７に載架される載架端部１１の全長に亘って取り付けるものであるだけでなく、部分的に取り付くものであっても良い。また、図９（ａ）のように架台７に載架される二つの載架端部１１両方に取り付けることも可能である。
【００３７】
図１１は請求項３に記載の発明に係る取付け構造の詳細を説明する断面図である。
【００３８】
図１１を用いて請求項３に記載の発明の一実施形態について説明する。図１１（ａ）に示したように、太陽電池モジュール３の対向する二つの載架端部１１を架台７に載架して、架台７とカバー１２にて挟持する構造である。架台７には、太陽電池モジュール３の載架端部１１を受ける受け部１４（１４ａ、１４ｂ）を２段階に設け、傾斜屋根傾斜方向の取付けピッチの変化に対して図１１（ｂ）のように受け部１４ｂに太陽電池モジュール３の載架端部を載架して取付けピッチが２段階に変更可能となるものである。
【００３９】
図１２は本発明に係る太陽電池アレイの施工手順を示した図のうち、基準となる架台の取付けを行う工程を示す図、図１３は本発明に係る太陽電池アレイの施工手順を示した図のうち、治具を用いて隣接する架台の取付けを行う工程を示す図、図１４は本発明に係る太陽電池アレイの施工手順を示した図のうち、太陽電池モジュールの仮置きを行う工程を示す図、図１５は本発明に係る太陽電池アレイの施工手順を示した図のうち、太陽電池モジュールの固定を行う工程を示す図、図１６は本発明に係る太陽電池アレイの施工手順を示した図のうち、太陽電池モジュールの固定が完了した状態を示す図である。
【００４０】
図１２〜図１６を用いて本発明の太陽電池アレイの取付け手順の説明を行なう。
【００４１】
まず、図１２に示すように、屋根材１０の上に、基準となる最も軒先側の固定金具Ｋを取付けビス１５にて屋根面に固定する。次に、図１３のように架台７１を基準に棟側に隣り合う架台７２を治具１６で位置決めし、取付けビス１５にて屋根面に固定する。ここで使用する治具１６は隣合う架台間のピッチを調整するためのもので、屋根形状に適したピッチの治具を使用する。治具はピッチごとに異なる治具を用意しても良いが、ピッチを変更可能なものでも良い。
【００４２】
全ての架台の取付けが完了した後、図１４に示したように隣り合う架台７１、７２をまたいで太陽電池モジュール３を仮置きする。
【００４３】
最後に、図１５のように軒先側の架台７１には化粧プレート１７、その他の架台７２には固定プレート１８を取付け、ボルト１９で締結する。図１６が取付けが完了した状態である。
【００４４】
なお、上記の太陽電池モジュールは透光性基板の裏面側に結晶系シリコン太陽電池素子を複数枚接続したものと裏面保護材を配置し、充填材にて接着したものの周辺に金属製の枠体を取り付けた構造を例にとり説明したが、これに代えてアモルファスシリコン太陽電池素子などを基板に取り付けたものや、単結晶太陽電池素子やボール太陽電池素子などのその他の太陽電池素子を使用したもの、または太陽電池素子を金属製基板に接着した構造のものとしてもよく、上記実施例に限定されるものではなく本発明の要旨を逸脱しない範囲内で適宜変更し、実施が可能である。
【図面の簡単な説明】
【００４５】
【図１】従来の太陽電池アレイの太陽電池モジュール配置を模式的に示した図である。また、（ａ）は３／１０勾配の寄棟屋根、（ｂ）は５／１０勾配の寄棟屋根、（ｃ）は７／１０勾配の寄棟屋根にそれぞれ配置した例である。
【図２】本発明に係る太陽電池アレイの太陽電池モジュール配置を模式的に示した図である。また、（ａ）は３／１０勾配の寄棟屋根、（ｂ）は５／１０勾配の寄棟屋根、（ｃ）は７／１０勾配の寄棟屋根にそれぞれ配置した例である。
【図３】本発明に係る太陽電池モジュールの一実施形態を説明する平面図である。
【図４】本発明に係る固定金具の一実施形態を説明する斜視図である。
【図５】本発明に係る固定金具の取付け位置と取付け方向を説明する図である。
【図６】本発明に係る固定金具に架台を係止した状態を示した図である。
【図７】本発明に係る固定金具に架台を挿入する工程を示した図である。
【図８】本発明に係る屋根用固定装置と架台とを固定する工程を示した図である。
【図９】本発明に係るアタッチメントの取付け構造の詳細を説明する断面図である。（ａ）は太陽電池モジュールの架台に載せる互いに対向する２つの端部にアタッチメントを取り付けて太陽電池モジュールを架台に載架したときの模式図を示す。（ｂ）は太陽電池モジュールの架台に載せる互いに対向する２つの端部の片方にアタッチメントを取り付けて太陽電池モジュールを架台に載架したときの模式図を示す。
【図１０】本発明に係る太陽電池モジュールを架台に載架したときの模式図を示す。
【図１１】本発明に係る取付け構造の詳細を説明する断面図である。
【図１２】本発明に係る太陽電池アレイの施工手順を示した図のうち、基準となる架台の取付けを行う工程を示す図である。
【図１３】本発明に係る太陽電池アレイの施工手順を示した図のうち、治具を用いて隣接する架台の取付けを行う工程を示す図である。
【図１４】本発明に係る太陽電池アレイの施工手順を示した図のうち、太陽電池モジュールの仮置きを行う工程を示す図である。
【図１５】本発明に係る太陽電池アレイの施工手順を示した図のうち、太陽電池モジュールの固定を行う工程を示す図である。
【図１６】本発明に係る太陽電池アレイの施工手順を示した図のうち、太陽電池モジュールの固定が完了した状態を示す図である。
【図１７】本発明に係る太陽電池アレイの他の実施例における太陽電池モジュール配置を模式的に示した図である。
【図１８】本発明に係る太陽電池アレイの更なる他の実施例における太陽電池モジュール配置を模式的に示した図である。
【符号の説明】
【００４６】
１：棟
２：軒
３、４：太陽電池モジュール
５：隅棟
Ｋ：固定金具
６：基台
６ａ：押圧部
６ｂ：固定部
７、７１、７２：架台
７ａ：係止部
８：係止部材
９：回動軸
１０：屋根材
１１：載架端部
１２：カバー
１３：アタッチメント
１４、１４ａ、１４ｂ：受け部
１５： 取付けビス
１６：治具
１７：化粧プレート
１８：固定プレート
１９：ボルト
【図１】
2005264441.tif 000003
【図２】
2005264441.tif 000004
【図３】
2005264441.tif 000005
【図４】
2005264441.tif 000006
【図５】
2005264441.tif 000007
【図６】
2005264441.tif 000008
【図７】
2005264441.tif 000009
【図８】
2005264441.tif 000010
【図９】
2005264441.tif 000011
【図１０】
2005264441.tif 000012
【図１１】
2005264441.tif 000013
【図１２】
2005264441.tif 000014
【図１３】
2005264441.tif 000015
【図１４】
2005264441.tif 000016
【図１５】
2005264441.tif 000017
【図１６】
2005264441.tif 000018
【図１７】
2005264441.tif 000019
【図１８】
2005264441.tif 000020